(57)【特許請求の範囲】
【請求項１】
移動デバイスの電子サービスガイド（ＥＳＧ）を処理する方法であって、
前記移動デバイスでＥＳＧデータを受信するステップと、
前記ＥＳＧについての前記受信したＥＳＧデータを、該ＥＳＧデータについて処理を行う前に、記憶するステップであって、前記ＥＳＧデータがサービス情報データを含み、該サービス情報データがロケーション依存サービス情報データを含む、ステップと、
移動デバイス・ロケーション・データを受信するステップと、
前記受信した移動デバイス・ロケーション・データに依存して、前記記憶したロケーション依存サービス情報データを処理するステップと、
を含む、方法。
【請求項２】
前記移動デバイスは、ディスプレイを備えており、前記ロケーション依存サービス情報データを処理するステップは、前記受信した移動デバイス・ロケーション・データに依存して、前記ロケーション依存サービス情報データを前記ディスプレイ上にレンダリングすることを含む、請求項１に記載の方法。
【請求項３】
前記移動デバイスは、少なくとも１つのサービス・アプリケーションを備えており、前記ロケーション依存サービス情報データを処理するステップは、前記受信した移動デバイス・ロケーション・データに依存して、前記サービス・アプリケーションによって前記ロケーション依存サービス情報を処理することを含む、請求項１又は２に記載の方法。
【請求項４】
前記ＥＳＧデータは、前記ロケーション依存サービス情報データのうちの１又はそれ以上に関する少なくとも１つのロケーション記述子を含む、請求項１に記載の方法。
【請求項５】
アナウンス・チャネルを受信するステップをさらに含み、該アナウンス・チャネルは、前記ロケーション依存サービス情報データのうちの１又はそれ以上に関する少なくとも１つのロケーション記述子を含む、請求項１〜４のうちのいずれか１項に記載の方法。
【請求項６】
請求項１〜５のうちのいずれか１項に記載の方法において、
第１のロケーション依存サービス情報データが、第１の地理的エリアにおいて適用され、第２のロケーション依存サービス情報データが、第２の地理的エリアにおいて適用され、前記第１の地理的エリア及び前記第２の地理的エリアのうちの少なくとも一方に前記移動デバイスが存在することに依存して、前記第１のロケーション依存サービス情報データ及び前記第２のロケーション依存サービス情報データのうちの少なくとも一方を処理することを含む、方法。
【請求項７】
前記第２の地理的エリアは、前記第１の地理的エリアの一部であり、前記処理することは、前記第２のロケーション依存サービス情報データが、前記第１のロケーション依存サービス情報に優先するようになっている、請求項６に記載の方法。
【請求項８】
前記第１のロケーション依存データ及び前記第２のロケーション依存データの双方が処理される、請求項６に記載の方法。
【請求項９】
前記移動デバイスは、
ＧＰＳ座標を求める全地球測位衛星受信機、
無線アクセスネットワークから受信される情報からデバイス・ロケーションを求める手段、及び
ロケーション・サーバからデバイス・ロケーション・データを受信するロケーション・データ受信機、
のうちの少なくとも１つによって前記移動デバイス・ロケーション・データを求める、請求項１〜８のうちのいずれか１項に記載の方法。
【請求項１０】
前記移動デバイスは、ローカル位置送信機から受信されるデータから前記移動デバイス・ロケーション・データを求める、請求項１〜９のうちのいずれか１項に記載の方法。
【請求項１１】
ソフトウェアコード部を含む移動デバイスの電子サービスガイド（ＥＳＧ）を処理するためのコンピュータ・プログラムであって、前記ソフトウェアコード部は、プロセッサによって実行されると、
前記移動デバイスでＥＳＧデータを受信するステップと、
前記ＥＳＧについての前記受信したＥＳＧデータを、該ＥＳＧデータについて処理を行う前に、記憶するステップであって、該ＥＳＧデータがサービス情報データを含み、該サービス情報データがロケーション依存サービス情報データを含む、ステップと、
移動デバイス・ロケーション・データを受信するステップと、
前記受信した移動デバイス・ロケーション・データに依存して、前記記憶したロケーション依存サービス情報データを処理するステップと、
を実行するように構成される、コンピュータ・プログラム。
【請求項１２】
請求項２〜１０のステップを実行可能なソフトウェアコード部をさらに含む、請求項１１に記載のコンピュータ・プログラム。
【請求項１３】
請求項１１及び１２のコンピュータ・プログラムを記憶する電子媒体。
【請求項１４】
請求項１３の電子媒体を収容する移動デバイス。
【発明の詳細な説明】
【技術分野】
【０００１】
本発明は、電子サービスガイド・ブロードキャスタと、電子サービスガイドを処理する方法とに関するものである。より詳細には、本発明は、移動デバイスの電子サービスガイドを処理する方法と、このような移動デバイスに電子サービスガイドを提供するようになっている電子サービスガイド・ブロードキャスタとに関するものである。
【背景技術】
【０００２】
今後、数年以内に、複数のサービス・プロバイダが、ＤＶＢ−Ｈ、Ｔ−ＤＭＢ、ＩＳＤＢ−Ｔ、ＤＡＢ−ＩＰ、ＭＢＭＳ等のような地上波および衛星ベースの、ブロードキャスト・ネットワークおよびマルチキャスト・ネットワークを介して、移動デバイスへサービスを放送することになる。このようなサービスは、一般に、モバイルＴＶサービスとして既知である。このモバイルＴＶサービスでは、オーディオ・ビジュアル・コンテンツ及びオーディオ・ビジュアル・ファイルが、マルチポイントネットワークへの或るポイントを介して移動エンドユーザデバイスへ配布される。このようなモバイルＴＶのコンテンツの説明は、通常、いわゆる電子サービスガイド（ＥＳＧ）において利用可能である。このようなＥＳＧは、放送チャネル又は対話型チャネル上で利用可能なすべてのモバイルＴＶサービスに対する端末用エントリーポイントとして機能する。
【０００３】
移動放送システムにおいて放送サービスを受けるために、端末はＥＳＧを受信する。ＥＳＧは、サービス及び構造に関するＥＳＧデータを備える。ＥＳＧデータは、サービス情報データを含む。サービス情報データは、番組ガイド（たとえば、題名、説明、ジャンル、時間を含むメタデータ）、申込・課金（subscription and billing）情報（価格、サービスを消費するのに必要な正式のクレデンシャルを取得するためのＵＲＬ）、アクセス方法情報（ＳＤＰ、ＩＰアドレス、ＭＰＥＧ２−ＴＳ  ＰＩＤ等）、対話性情報（たとえば、投票又はギャンブル）、並びに補助データを含む。サービス情報データは、多くの場合、テーブルで構造化され、コンテンツ・サービス（オーディオ、ビデオ、及び／又はファイル）の情報を提供する。コンテンツ・サービスは、次いで、ＥＳＧを使用して受信することができる。
【０００４】
サービス消費が移動するという性質に起因して、適用可能なサービス説明が、変化する場合があり、又は、すべてのサービス説明が、すべてのロケーションにおけるエンドユーザにとって利用可能であるべきとは限らない。この変化は、エンドユーザが、より大きな／より小さな帯域幅のような、他の特性を有する放送ネットワークを有するエリア内に移動することから、又は、エンドユーザが、１つ若しくは複数の放送ネットワークのカバレッジの外部へ移動していることから起こる可能性がある。しかし、この制限は、サービス・プロバイダが、一定のサービス説明若しくはそのサービス説明の一定の態様を一定のエリアで提供するか、又は一定のサービス説明若しくはそのサービス説明の一定の態様が、一定のエリアで利用可能になることを妨げることに由来する場合もある。
【０００５】
当該技術分野では、たとえば、一定のサービスを放送禁止にするといった、コンテンツ自体に対してロケーションベースの制限を設けることが既知である。サービスへのアクセスは、この場合、サービスのコンテンツをブロードキャスト（放送）しないこと、又は、このようなサービスへのアクセスを許可しないことのいずれかによって制限される。ＥＳＧはそれでも、利用可能でないサービス又はアクセス可能でないサービスに関する情報をエンドユーザに提示し続ける。さらに、この手法は、それでも、エンドユーザの他の（ロケーション特有の）メタデータを有するサービスを消費することができることを許可しないか、又は、異なる申込情報を有する。
【０００６】
ＰＣＴ公開ＷＯ２００７／０５８７６３号は、メディア・コンテンツにアクセスするための方法及びシステムを開示している。このシステムは、第１のデジタル・メディア・ファイル及び第２のデジタル・メディア・ファイルを有するデジタル・メディアを備える。第１のデジタル・メディア・ファイルは、第１のロケーションに対応する第１のメタデータを有し、第２のデジタル・メディア・ファイルは、第２のロケーションに対応する第２のメタデータを有する。第２のロケーションは、第１のロケーションに対して遠隔にある。このデジタル・メディアを記憶するサーバは、第１のデジタル・メディア・リスト及び第２のデジタル・メディア・リストを記憶する。第１のデジタル・メディア・リストは、第１のデジタル・メディア・ファイルが第１のロケーションでアクセス可能であることを示し、第２のデジタル・メディア・リストは、第２のデジタル・メディア・ファイルが第２のロケーションでアクセス可能であることを示す。第１の端末は、通信ネットワークを介してサーバに電気的に接続され、通信ネットワークを介してサーバにアクセスし、サーバと通信する。第１の端末は、第１のロケーションと第２のロケーションとの間で移動可能である。サーバに電気的に接続されたロケーティング・デバイスが設けられる。サーバは、第１の端末が第１のロケーションに配置されているのか、又は第２のロケーションに配置されているのかを、ロケーティング・デバイスを介して判断する。サーバは、第１のロケーションに位置している第１の端末へ第１のデジタル・メディア・リストを送信する。サーバは、第２のロケーションに位置している第１の端末へ第２のデジタル・メディア・リストを送信する。第１の端末は、第１のデジタル・メディア・リストを介して、サーバからの第１のデジタル・メディア・ファイルにアクセスする。第１の端末は、第２のデジタル・メディア・リストを介して、サーバからの第２のデジタル・メディア・ファイルにアクセスする。
【０００７】
ＥＳＧを更新するための従来技術の方法及びシステムは、サーバとの準連続接続が必要とされるという点、及び、このような接続に失敗する場合又はそれ以外で接続が利用可能でない場合には、ＥＳＧの更新がもはや可能でないという点で、扱いにくい。
【発明の概要】
【発明が解決しようとする課題】
【０００８】
要約すれば、当該技術分野には、移動中の移動デバイスのＥＳＧを処理するための改良された方法及びシステムの必要性が存在する。
【課題を解決するための手段】
【０００９】
移動する移動デバイスの電子サービスガイド（ＥＳＧ）を処理するための改良された方法及びシステムを提供することが、本発明の目的である。
そのために、移動デバイスのＥＳＧを処理する方法が提案される。処理は、移動デバイスのディスプレイ上にＥＳＧをレンダリングすること、又は、移動デバイスによる他の処理（移動デバイスのユーザに可視又は非可視）をトリガすることを含むことができる。この方法は、ＥＳＧのＥＳＧデータを記憶するステップを含む。ＥＳＧデータは、サービス情報データを含む。サービス情報データは、ロケーション依存サービス情報データを含む。この方法は、移動デバイス・ロケーション・データを受信することも伴う。受信した移動デバイス・ロケーション・データは、たとえば、さらなる処理の準備ができている場合があるか、又はロケーション・データを求め且つ／若しくは計算することができる基となる情報を含む場合があることが想定されるべきである。ロケーション依存サービス情報データの処理は、受信した移動デバイス・ロケーション・データに依存する。
【００１０】
さらに、この方法を実行することができるコンピュータ・プログラム、電子媒体、及び移動デバイスが提案される。
さらに、ＥＳＧデータをブロードキャストするようになっている電子サービスガイド・ブロードキャスタが提案される。ＥＳＧデータは、ロケーション依存サービス情報データを含むサービス情報データを含む。このＥＳＧブロードキャスタは、上記ロケーション依存サービス情報データに関連付けられる少なくとも１つのロケーション記述子を送信するように構成されている。
【００１１】
移動デバイスと、移動デバイスによってサーバへ通信されたロケーションに依存してＥＳＧデータを提供するサーバとの間の準連続接続を必要とする代わりに、本方法は、ロケーション依存サービス情報データのロケーション依存関係が、移動デバイス側ですでにローカルに利用可能であることを確実にする。ロケーションの変化によって、ＥＳＧを更新するためにサーバと通信することは必要とされず、新しいロケーションのために、適用可能なＥＳＧを表示するか又は適切な動作をトリガするために、記憶されたロケーション制限を考慮することによって、単に移動デバイスにおけるＥＳＧコントローラによる内部処理のみが必要とされる。もちろん、移動デバイス・ロケーション・データは、依然としてサーバから受信することができる。この提案によって、ブロードキャストによるロケーション依存ＥＳＧデータの配信が可能になる。
【００１２】
請求項２の方法は、移動デバイスのユーザに対して表示されるＥＳＧが、移動デバイスの現在の位置で利用可能なサービス（複数可）に対応し、利用可能でないサービス又は提供されないサービスに関する情報を表示しないという利点を有する。
【００１３】
請求項３の方法は、サービス・アプリケーションを、移動デバイスの実際のロケーションに依存して実行することができるという利点を有する。一例として、特定のサービスが、特定のエリアでのみ利用可能である場合、このサービスのクレデンシャルを有するサーバのＵＲＬは、このエリアでのみ関連する。申込(subscription)を取得するためのサービス・アプリケーションは、次いで、移動デバイスがそのエリアに存在する場合にのみ、そのＵＲＬを使用して実行することができる。
【００１４】
請求項４の方法は、ロケーション依存サービス情報データのロケーション依存関係を移動デバイスへリモート通信することができるという利点を有する。特に、ＥＳＧデータは、請求項５及び１８に規定されるように、ロケーション依存サービス情報データのロケーション依存関係の情報を含む１つ又は複数のロケーション記述子を含むことができる。ＥＳＧデータは、通常、ＥＳＧコンテナ又はＥＳＧフラグメントで送信される。ロケーション記述子は、ＥＳＧコンテナの一部とすることができるか、又は別個のコンテナに含めることができる。ロケーション記述子（複数可）をコンテナに設けることによって、ロケーション記述子（複数可）へのより高速なアクセスが提供される。ロケーション記述子を有する別個のコンテナは、ロケーション制限が適用されるときに参照することができる。ロケーション記述子は、他のＥＳＧデータと共に移動デバイスに記憶される。
【００１５】
請求項６及び１７の方法は、ＥＳＧの効率性及び適切な宣言という利点を有する。ロケーション記述子は、アナウンス・チャネルにおいてロケーション記述子を実施することによって容易に再利用することができる。アナウンス・チャネルは、時に、サービス発見チャネルとも呼ばれる。ロケーション記述子は、移動デバイスによって記憶されるべきであり、アナウンス・チャネル上のロケーション記述子の量はかなりのものになる場合があるので、特定の基準に準拠するロケーション記述子のみが記憶される方法を実施することができる。基準の一例として、移動デバイスの現在のロケーションとロケーション記述子（複数可）によって示されるエリアとの間の距離とすることができる。
【００１６】
請求項７の方法は、移動デバイスが存在する地理的エリアに依存してサービス情報データを処理することができるという利点を有する。特に、請求項８の方法は、サードパーティの特定のエリアでは、このサードパーティが、移動デバイスにＥＳＧを課すことができるのに対して、このエリアの外部では、たとえばネットワークオペレータのＥＳＧが適用されるという利点を有する。請求項９に規定されるように、ＥＳＧは、ネットワークオペレータ及びサードパーティの双方の情報を含むことができる。
【００１７】
請求項１０は、移動デバイス・ロケーション・データを受信し且つ／又は求めるためのさまざまな方法を規定する。
請求項１１に規定されるように、移動デバイス・ロケーション・データは、競技場、ショッピングモール、庁舎等のロケーション送信機のような、ローカル位置送信機から得ることもできる。
【００１８】
添付図面を参照して本発明をさらに示す。添付図面は、本発明による好ましい実施形態を概略的に示している。本発明は、この具体的で好ましい実施形態に何ら限定されるものでないことが理解されよう。
【図面の簡単な説明】
【００１９】
【図１】通信システムの概略図である。
【図２】本発明の一実施形態によるアナウンス・チャネル及びサービスガイド配信チャネルの一例を示す図である。
【図３】移動デバイスの概略図である。
【図４Ａ】第１のロケーションから第２のロケーションへ移動する移動デバイスの一例を示す図である。
【図４Ｂ】第１のロケーションから第２のロケーションへ移動する移動デバイスの一例を示す図である。
【図５Ａ】番組ガイドの概略図である。
【図５Ｂ】番組ガイドの概略図である。
【図６】本発明による方法の一実施形態によるフローチャートである。
【発明を実施するための形態】
【００２０】
図１には、移動放送通信システム１（たとえば、テレビ放送システム又はファイル配布システム）が示されている。この移動放送通信システム１では、移動デバイス２が、ネットワーク５を介してサーバ４に接続されたネットワーク３に移動アクセスする。移動デバイス２は、衛星システム６によって自身のロケーションを求めることができる。
【００２１】
移動デバイス２は、図３を参照してさらに詳細に説明されるが、たとえば、移動電話、携帯情報端末（ＰＤＡ）、ポータブル・コンピュータ（ラップトップ）等とすることができる。移動デバイスは、電子サービスガイド（ＥＳＧ）を表示するためのディスプレイ７を有する。
【００２２】
ネットワーク３は、移動デバイス２に移動放送サービスを提供することができるネットワークである。このネットワークは、たとえば、ＤＶＢ−Ｈネットワーク、Ｔ−ＤＭＢネットワーク、ＩＳＤＢ−Ｔネットワーク、ＤＡＢ−ＩＰネットワーク、又はＭＢＭＳネットワークを備えることができる。
【００２３】
図１のサーバ４は、複数のサーバを表すことができる。サーバ４は、ネットワーク５及びネットワーク３を介してＥＳＧデータを移動デバイス２に提供する。ディスプレイ７上のＥＳＧにおいて選択可能なコンテンツ・サービスは、異なるサーバを発信源とすることができる。
【００２４】
移動デバイス２は、自身のロケーションを受信するか、求めるか、解析するか、又は計算することができる。図１では、移動デバイス２は、ＧＰＳ衛星６から、それ自体は既知の方法で、ロケーションを求める。しかしながら、これに加えて又は代替として、他のロケーションを求めるシステムを適用することもできる。代替として、移動デバイス２は、ネットワーク３又はサーバ４からロケーション情報データを受信することができる。
【００２５】
移動デバイス２に提供されるＥＳＧデータは、たとえば、図２に示す方法でネットワーク３を介してブロードキャストすることよって送信することができる。
通常、ＥＳＧデータは、ＥＳＧフラグメント又はＥＳＧコンテナに分けられ、サービスガイド配信チャネル上に置かれる。ＥＳＧの構造及びコンテナのアドレスは、アナウンス・チャネル上でアナウンスされる。アナウンス・チャネルそれ自体は、通常、固定ＩＰアドレス又はＭＰＥＧ２トランスポートストリーム上の固定ＰＩＤ番号のような、固定アドレス若しくはあらかじめ定められたアドレス又は識別子に見つけることができる。ＥＳＧデータを提供する方法に関するさらなる情報は、ＯＭＡ（オープンモバイルアライアンス（Open Mobile Alliance））の２００７年９月２５日の文書「Service Guide for Mobile Broadcast Services」候補バージョン１．０に見つけることができる。
【００２６】
図２では、アナウンス・チャネルは、３つのサービスＩ，ＩＩ、及びＩＩＩが存在することを、対応する配信記述子（delivery description）でアナウンスする。各サービスのサービス情報は、ＥＳＧ配信チャネルの４つのＥＳＧデータ・コンテナ（配信ユニット）に記憶される。ＥＳＧ配信チャネルのアドレスは、アナウンス・チャネルに宣言されている。第１のコンテナは、電子番組データ（たとえば、名称、説明、開始時刻、終了時刻等）を含み、第２のコンテナは、申込／課金データ（価格、購入用連絡アドレス等）を含み、第３のコンテナは、アクセスデータ（アクセスアドレス、アクセスパラメータ）を含み、第４のコンテナは、対話性データを含む。ＥＳＧデータは、異なったやり方でＥＳＧコンテナに編成することができ、電子番組データは、たとえば、さまざまなコンテナにわたって配信することができることが理解されるべきである。第３のコンテナのアクセスデータは、矢印によって示される図２のコンテンツ・チャネルへの調節のために、必要な情報を提供する。
【００２７】
本発明の一実施形態では、アナウンス・チャネルは、追加のロケーション配信記述子「Location_Desc」を備える。また、配信記述子は、適用可能な場合に、追加のロケーション配信記述子の特定のエントリーを参照するロケーション識別子を含むこともできる。図２では、サービスＩＩの配信ユニットは、ロケーションＡを参照するロケーション識別子LocID_1を有するのに対して、サービスＩＩＩの配信ユニットは、ロケーションＢを参照するロケーション識別子LocID_2を有する。
【００２８】
本発明の別の実施形態では、サービスのロケーション情報は、ＥＳＧデータ・コンテナの一部である。
図３は、本発明の一実施形態による移動デバイス２の概略図である。
【００２９】
移動デバイス２は、ＥＰＧコントローラ２０と、メモリ２１と、サービス・アプリケーション２３及びメディア・アプリケーション２４を実行することができるプロセッサ２２とを含む。メディア・アプリケーションは、ＥＳＧを含むメディアを移動デバイス２のディスプレイ７上にレンダリングするようになっている。さらに、移動デバイスは、たとえばＧＰＳシステムを使用することによって移動デバイス２のロケーションを受信し且つ／又は求めるためのロケーション・プロセッサ２５も有する。
【００３０】
ＥＳＧコントローラ２０は、図２のアナウンス・チャネルを受信する。アナウンス・チャネルから、ＥＳＧコントローラは、サービスＩＩがロケーションＡに関してのみ適用可能であり、サービスＩＩＩがロケーションＢに関してのみ適用可能であることを知る。ＥＳＧコントローラ２０は、ＥＳＧ配信チャネル上のＥＳＧデータをメモリ２１に記憶する。
【００３１】
サービス情報データ処理が、サービス情報データを移動デバイス２のディスプレイ７上にレンダリングすることに関係する一例を以下でさらに詳細に説明する。しかしながら、ロケーション依存処理の他の形態が予見されていることが理解されるべきである。一例として、これは、特定のサービスが特定のエリア（たとえば、エリアＢ）でのみ利用可能である場合とすることができる。移動デバイス２がこのエリアに入ると、申込(subscription)を取得するためのサービス・アプリケーション２３を、このエリアに適用可能なＵＲＬを用いて実行することができる。
【００３２】
本発明の一実施形態による方法の一例を、図４Ａ及び図４Ｂ、図５Ａ及び図５Ｂ、並びに図６を参照して説明することにする。
図４Ａ及び図４Ｂは、移動デバイス２が第１のエリアＡから第２のエリアＢへ移動する２つの状況を示している。図４Ｂでは、第１のエリアＡは、第２のエリアＢを含む。図４Ｂの場合、第２のエリアＢは、たとえば、電気通信ネットワーク・プロバイダのより大きなエリア内にある競技場とすることができる。ロケーション情報は、この実施形態では、ローカルの位置送信機３０によって提供される。
【００３３】
図５Ａ及び図５Ｂは、移動デバイス２のディスプレイ７上に表示されるＥＳＧの非常に簡単な例を示している。図５Ａの場合、移動デバイス２は、エリアＡに存在する。図５Ｂの場合、移動デバイス２は、エリアＢに存在する。
【００３４】
サービスＩは、ロケーションに依存しないので、このサービスは、図５ＡのＥＳＧ及び図５ＢのＥＳＧの双方に表示される。したがって、サービスＩは、移動デバイス２がエリアＡに存在するのか、それともエリアＢに存在するのかにかかわらず表示される。
【００３５】
図４Ａにおいて、移動デバイス２が、エリアＡに存在する場合、ディスプレイ７上のＥＳＧは、図５ＡのＥＳＧとなる。移動デバイス２がエリアＢに移動する場合（矢印によって示す）、このロケーションの変化は、ロケーション・プロセッサ２５によって感知されるか、又は、ロケーション・プロセッサ２５へ通信される。ＥＳＧコントローラ２０は、ロケーションの変化を考慮して、新しいロケーションに適用可能なＥＳＧデータをメモリ２１から抽出(retrieve)する。その結果、ディスプレイ上のＥＳＧは、図５ＢのＥＳＧに自動的に変化する。
【００３６】
図４Ｂにおいて、移動デバイス２が、エリアＢによってカバーされないエリアＡに存在する場合、ディスプレイ７上のＥＳＧは、この場合も、図５ＡのＥＳＧとなる。移動デバイス２が、エリアＢに移動する場合（矢印によって示す）、このロケーションの変化は、位置送信機３０から得られた情報の結果として、ロケーション・プロセッサ２５によって感知されるか又はロケーション・プロセッサ２５へ通信される。ＥＳＧコントローラ２０は、ロケーションの変化を考慮し、新しいロケーションに適用可能なＥＳＧデータをメモリ２１から抽出する。その結果、ディスプレイ上のＥＳＧは、図５Ｂのものに自動的に変化する。この状況では、エリアＢのＥＳＧデータが、エリアＡのＥＳＧデータに優先するということがメモリ２１に記憶されている（図６の右分岐）。この情報は、アナウンス・チャネル及び／又はＥＳＧ配信チャネル上の排他的タグから得ることができる。しかしながら、代替的に、このような優先度の情報が利用可能でない場合には、移動デバイス２のディスプレイ７上のＥＳＧは、サービスＩＩ及びＩＩＩの双方を表示することができる（図６の左分岐）。このタグは、エリアＢのＥＳＧが利用可能である場合のみ、そのＥＳＧを単独で表示すべきであることを示す条件付きタグとすることもできる。そうでない場合には、図５ＡのＥＳＧが表示されるべきである。
【００３７】
移動デバイス２は、ＥＳＧデータを含むだけでなく、これらのデータの処理のためのロケーション情報も含むということが、本発明の要旨である。このロケーション情報は、移動デバイスへブロードキャストすることができ、適宜、処理に容易に利用可能である。その結果、特定のロケーションを外部デバイスへ信号で通知し、この信号で通知されたロケーションに応答してＥＳＧデータを抽出する外部接続を有することは必要とされない。
【図１】
0004973881.tif 000002
【図２】
0004973881.tif 000003
【図３】
0004973881.tif 000004
【図４Ａ】
0004973881.tif 000005
【図４Ｂ】
0004973881.tif 000006
【図５Ａ】
0004973881.tif 000007
【図５Ｂ】
0004973881.tif 000008
【図６】
0004973881.tif 000009